(57)【要約】【課題】  観音開きドアに高い遮音性、気密性を付与することができるドアのシール構造を提供すること。【解決手段】  本発明の両開きドアのシール構造は、両開きドア４、６の一方のドア４の先端部に沿って延び両開きドアの閉鎖時に両開きドアの突き合わせ部をシールする突き合わせ部パッキン２８と、両開きドアのドア枠２に取付けられ両開きドアの閉鎖時にドア枠と両開きドアとの間をシールするドア枠パッキン１６と、両開きドアの閉鎖時に突き合わせパッキンの端部とドア枠パッキンの間の空間を塞ぐように突き合わせパッキンの端部とドア枠パッキンの間に配置される補助パッキン部材３２と、を備えていることを特徴とする。【選択図】      図１
2006063628.tif 000002
【特許請求の範囲】
【請求項１】
両開きドアのシール構造であって、
前記両開きドアの一方のドアの先端部に沿って延び、前記両開きドアの閉鎖時に前記両開きドアの突き合わせ部をシールする突き合わせ部パッキンと、
前記両開きドアのドア枠に取付けられ、前記両開きドアの閉鎖時に前記ドア枠と前記両開きドアとの間をシールするドア枠パッキンと、
前記両開きドアの閉鎖時に、前記突き合わせパッキンの端部と前記ドア枠パッキンの間の空間を塞ぐように前記突き合わせパッキンの端部と前記ドア枠パッキンの間に配置される補助パッキン部材と、を備えている、
ことを特徴とする両開きドアのシール構造。
【請求項２】
前記補助パッキン部材が、前記突き合わせ部パッキンの端部に取付けられている、
請求項１に記載の両開きドアのシール構造。
【請求項３】
前記補助パッキン部材が、前記ドア枠側が低くなる傾斜面を有し、
前記両開きドアの閉鎖時に、前記傾斜面に前記ドア枠パッキンが当接することによって、前記突き合わせパッキンの端部と前記ドア枠パッキンの間の空間が塞がれる、
請求項２に記載の両開きドアのシール構造。
【請求項４】
前記補助パッキン部材が、くさび形状を有している、
請求項３に記載の両開きドアのシール構造。
【請求項５】
前記補助パッキン部材が、柔軟なゴム材料で作られている、
請求項１ないし４のいずれか１項に記載の両開きドアのシール構造。
【発明の詳細な説明】
【技術分野】
【０００１】
本発明は、両開きドアのシール構造に関し、詳細には、建物の両開きドアとドア枠との間のシール構造に関連する。
【背景技術】
【０００２】
建物の部屋の出入口等のドアの一形態として、外側にドアヒンジが取付けられた左右２枚のドアが、ドアヒンジを中心に旋回して開く観音開きドアがある。この観音開きドアには、２枚のドアを開け放したとき広い開口部を得られるというメリットがある。
観音開きドアの遮音性、気密性を高めるためのシール構造として、ドアの突き合わせ部と、ドア枠の全周とにゴム等の可撓性の材料で作られたパッキンを配置する構造が知られている。このシール構造を有する観音開きドアでは、閉鎖時に２枚のドアの突き合わせ部、および、ドアとドア枠との間に形成される隙間がパッキンによって塞がれるので、所定の遮音性、気密性は達成される。
【発明の開示】
【発明が解決しようとする課題】
【０００３】
しかしながら、上述したようなシール構造では、ドア閉鎖時に、ドア枠の全周に配置されたパッキンとドアの突き合わせ部に配置されたパッキンとが接触する部分は、可撓性材料で作られたパッキン同士が接触する構造であるため、この部分に隙間ができシートが不完全になり易いという問題があった。また、この部分では、ドアの開閉のたびにパッキン同士がこすれ合うので、当初はパッキン同士で隙間無く十分なシールを形成していても、使用によってパッキンが変形、変質、摩耗等してパッキン間に隙間ができ、シールが不十分になるという問題があった。
このような問題は、２枚のドアを備えた観音開きドアに限らず、３枚以上のドアが配置された両開きドアにおいても起こっている。
【０００４】
このため、観音開きドア等の両開きドアは、広い開口部と、高い遮音性、気密性とが求められるビルの機械室、音響スタジオ等には使用することが難しく、広い開口部が得られるというメリットを十分に生かすことができていなかった。
【０００５】
本発明は、上記問題点に鑑みてなされたものであり、観音開きドアに高い遮音性、気密性を付与することができるドアのシール構造を提供することを目的とする。
【課題を解決するための手段】
【０００６】
本発明によれば、両開きドアのシール構造であって、前記両開きドアの一方のドアの先端部に沿って延び、前記両開きドアの閉鎖時に前記両開きドアの突き合わせ部をシールする突き合わせ部パッキンと、前記両開きドアのドア枠に取付けられ、前記両開きドアの閉鎖時に前記ドア枠と前記両開きドアとの間をシールするドア枠パッキンと、前記両開きドアの閉鎖時に、前記突き合わせパッキンの端部と前記ドア枠パッキンの間の空間を塞ぐように前記突き合わせパッキンの端部と前記ドア枠パッキンの間に配置される補助パッキン部材と、を備えていることを特徴とする両開きドアのシール構造が提供される。
【０００７】
このような構成によれば、パッキン同士が接触するためシールが不十分になり易い突き合わせ部パッキンとドア枠パッキンとの間に、ドア閉鎖時には、補助パッキン部材が配置され、突き合わせパッキンの端部とドア枠パッキンの間の空間を塞ぐため、観音開きドアに、高い気密性、遮音性を付与することができる。したがって、観音開きドアを、ビルの機械室、音楽スタジオ等の高い遮音性、気密性が求められる場所に使用することが可能となる。
【０００８】
本発明の他の好ましい態様によれば、前記補助パッキン部材が、前記突き合わせ部パッキンの端部に取付けられている。
このような構成によれば、ドア閉鎖時に、補助パッキン部材を突き合わせ部パッキンとドア枠パッキンとの間に配置し、この部分の間隙を塞ぐことが可能となる。
【０００９】
本発明の他の好ましい態様によれば、前記補助パッキン部材が、前記ドア枠側が低くなる傾斜面を有し、前記両開きドアの閉鎖時に、前記傾斜面に前記ドア枠パッキンが当接することによって、前記突き合わせパッキンの端部と前記ドア枠パッキンの間の空間が塞がれる。
【００１０】
このような構成によれば、使用によって補助パッキン部材が変形等しても、前記ドア枠パッキンに隣接するドア枠の一部を補助パッキン部材に確実に当接させ、突き合わせパッキンとドア枠パッキンとの間に間隙を塞ぐことが可能となる。
【００１１】
本発明の他の好ましい態様によれば、前記補助パッキン部材が、くさび形状を有している。
本発明の他の好ましい態様によれば、前記補助パッキン部材が、柔軟なゴム材料で作られている。
【発明の効果】
【００１２】
上述したような構成を有する本発明によれば、観音開きドアに高い遮音性、気密性を付与することができるドアのシール構造が提供される。
【発明を実施するための最良の形態】
【００１３】
以下、添付図面を参照して本発明の実施形態のドアのシール構造を説明する。図１は、本発明の実施形態のドアのシール構造を備えた観音開きドア１の一部を示す斜視図である。観音開きドア１は、ドア枠２と、このドア枠２に取付けられた一対のドア４、６を備えている。ドア枠２は、四角形のフレームであり、両側に設けられたヒンジ部材８、８によって、ドア４、６が矢印Ｘ方向に揺動可能に取付けられている。尚、ドア枠は、建物の壁と一体のものでもよい。
【００１４】
ドア４、６の閉鎖時に、ドア４、６の表面１０、１２の周縁部が当接するドア枠２の縁部には、ドア枠２の全周にわたって延びる溝１４が形成されている。この溝１４内には、ドア枠パッキン１６が収容されている。図２に示されているように、ドア枠パッキン１６は、プラスチック等の合成樹脂、人造樹脂、または、ゴムなどの弾性を備えた可撓性材料で一体成形された細長い管状部材である。プラスチックとしては、例えば、シリコン樹脂、メラニン樹脂、エポキシ樹脂、ポリエステル樹脂等の熱硬化性樹脂、塩化ビニル樹脂、アクリル樹脂等の熱可塑性樹脂が使用される。尚、これらの可撓性材料に、炭素、錫、銀等の導電性材料を混入させることにより、電磁シールドが可能なパッキングとしてもよい。
【００１５】
ドア枠パッキン１６は、一端側に設けられた基部１８と、他端側に設けられた四角柱状の当接部２０と、基部１８と当接部２０とを接続する接続部２２とを備えている。基部１８には、両側面から斜め上方に向かって外方に延びる２対の抜止めウイング部２４が形成されている。ドア枠パッキン１６は、基部１８をドア枠２の溝１４に嵌め込むことにより、ドア枠２に取付けられている。
【００１６】
ドア枠パッキン１６の取付けにあたっては、溝１４の各辺の長さに寸法に合わせて切断した４本のドア枠パッキン１６をそれぞれ溝１４に嵌め込んでも、又は、切断した４本のパッキングの両端を４５度にカットし、この切断面を溶着あるいは接着して、溝１４の寸法に対応する４角形の枠状のパッキングを形成しておき、これを溝１４に嵌め込んでもよい。
【００１７】
本実施形態では、当接部２０内に四角柱の磁性部材２６が配置されている。この結果、ドア４、６が閉鎖されたときには、当接部２０が内部に収容された磁性部材２６の作用によりドア４、６の表面１０、１２に確実に吸着し、ドア４、６とドア枠２との間にシールを形成することになる。
【００１８】
図１に示されているように、本実施形態のドアのシール構造１では、一方のドア４の先端に沿って、ドア閉鎖時に一方のドア４と他方のドア６との突き合わせ部（召し合わせ部）にシールを形成する突き合わせ部パッキン２８が配置されている。
【００１９】
図３は、突き合わせ部パッキン２８による、２枚のドア４、６の突き合わせ部（召し合わせ部）のシールを説明するための斜視図である。図３に示されているように、突き合わせ部パッキン２８は、ドア枠パッキン１６と同一の構造を有しており、一方のドア４の先端に取付けられた断面コ字状のパッキン収容部材３０内に、ドア閉鎖時に、当接部２０が他方のドア６の表面に当接するような配置で収容されている。
【００２０】
図３に示されているように、突き合わせ部の上端では、パッキング収容部材３０およびこれに収容された突き合わせ部パッキン２８は、ドア４の上端より一段下がった位置で終端している。図４に示されているように、パッキング収容部材３０およびこれに収容された突き合わせ部パッキン２８の上端の上には、三角柱（くさび型）の上部補助パッキン３２が取付けられている（図３では省略）。図４では、明確化のため、ドア枠２を２枚のドア４、６の突き合わせ部から離して表している。
【００２１】
上部補助パッキン３２は、ドア枠２側が低くなる傾斜した上面３２ａを有していおり、ドア閉鎖時には、図５の断面図に示されているように、この傾斜面３２ａが２枚のドア４、６の突き合わせ部の上方でドア枠パッキン１６に当接する。この結果、上部補助パッキン３２は、ドア閉鎖時に、ドア枠パッキン１６と突き合わせパッキン２８との間の隙間を塞ぐことになる。
【００２２】
一方、突き合わせ部の下端では、パッキング収容部材３０およびこれに収容された突き合わせ部パッキン２８は、ドア４の下端より一段上がった位置で終端し、パッキング収容部材３０およびこれに収容された突き合わせ部パッキン２８の下端には、三角柱（くさび型）の下部補助パッキン３４が取付けられている。下部補助パッキン３４は、ドア枠２側が低くなる（上方に位置するように）傾斜した上面３４ａを有しており、ドア閉鎖時には、図５の断面図に示されているように、この傾斜面３４ａが２枚のドア４、６の突き合わせ部の下方でドア枠パッキン１６に当接する。この結果、下部補助パッキン３４は、ドア閉鎖時に、ドア枠パッキン１６と突き合わせパッキン２８との間の隙間を塞ぐことになる。
【００２３】
尚、補助パッキン３２、３４は、例えば、クロロプレンゴム等の軟質の材料で作られているのが好ましい。
【００２４】
このような構成によれば、ドア閉鎖時には、ドア枠２とドア４、６の間はドア枠パッキン１６によって、ドア４、６の突き合わせ部（召し合わせ部）は突き合わせ部パッキン２８によって、さらに、突き合わせ部の上下のドア枠パッキン１６と突き合わせ部パッキン２８の間の隙間は上下の補助パッキン３２、３４によってシールされる。したがって、ドア４、６の全周にシールが形成されることになり、高い遮音性、気密性が得られる。
【００２５】
本発明の上記実施形態に限定されることなく、特許請求の範囲に記載された技術的思想の範囲内で種々の変更、変形が可能である。
【００２６】
上記実施形態では、補助パッキン３２、３４は、三角柱（くさび型）であったが、ドア閉鎖時に、突き合わせ部パッキンとドア枠パッキンとの間の隙間を塞ぐことができるればどのような形態であってもよい。
また、突き合わせ部パッキンとドア枠パッキンの形状も上記実施形態のものに限定されるものではない。
【図面の簡単な説明】
【００２７】
【図１】本発明の実施形態のドアのシール構造を備えた観音開きドアの一部を示す斜視図である
【図２】本発明の実施形態のシール構造に用いられるドア枠パッキン、突き合わせパッキンの一部分を破断した斜視図である。
【図３】ドア閉鎖時の突き合わせ部パッキンと、２枚のドアの突き合わせ部（召し合わせ部）の関係を示す斜視図である。
【図４】ドア閉鎖時の補助パッキンと突き合わせ部パッキンとドア枠との関係を示す分解斜視図である。
【図５】ドア閉鎖時の補助パッキンと突き合わせ部パッキンとドア枠パッキンとの関係を示す、突き合わせ部に沿った縦断面図である。
【符号の説明】
【００２８】
１：観音開きドア
２：ドア枠
４、６：ドア
８：ヒンジ部材
１４：溝
１６：ドア枠パッキン
２８：突き合わせ部パッキン
３０：パッキン収容部材
３２：上部補助パッキン
３４：下部補助パッキン
【図１】
2006063628.tif 000003
【図２】
2006063628.tif 000004
【図３】
2006063628.tif 000005
【図４】
2006063628.tif 000006
【図５】
2006063628.tif 000007